(57)【要約】【課題】制光部材の中央部の明るさを向上させることができる照明器具を提供する。【解決手段】天井Ｓに取り付けられる取付部の内面側に反射面を形成し、この反射面側にて複数の発光部を環形に配設してなる環形の小形，大形蛍光ランプ４，５を保持し、この反射平面２ｂに対向する対向端に投光開口２ｃを形成した器具本体２と；この器具本体が天井に取り付けられたときに上記環形ランプの下方に位置する上記投光開口端側にて制光可能に配設されて、この環形ランプの発光部に囲まれた環形中央部に対応する中央部に開口部７ｄを形成したバッフル板７と；を具備している。【選択図】  図１
2005327573.tif 000002
【特許請求の範囲】
【請求項１】
天井に取り付けられる取付部の内面側に反射面を形成し、この反射面側にて複数の発光部を環形に配設してなる環形ランプを保持し、この反射面に対向する対向端に投光開口を成形した器具本体と；
この器具本体が天井に取り付けられたときに上記環形ランプの下方に位置する上記投光開口端側にて制光可能に配設されて、この環形ランプの発光部に囲まれた環形中央部に対応する中央部に開口部を形成した制光部材と；
を具備していることを特徴とする照明器具。
【請求項２】
上記器具本体は、その反射面の上記環形ランプの環形中央部に対応する中央部にて、上記制光部材側へ膨出する中央反射部を形成していることを特徴とする照明器具。
【請求項３】
上述中央反射部は、その膨出頂端が上記環形ランプの上記制光部材側一面よりも上方へ位置するように形成されていることを特徴とする請求項２記載の照明器具。
【請求項４】
上記制光部材は、その中央開口部周りの内側制光部材を、この内側制光部材の底部が外側の外側制光部材の底部よりも上記環形ランプ側へ位置するように形成していることを特徴とする請求項１ないし３のいずれか一記載の照明器具。
【発明の詳細な説明】
【技術分野】
【０００１】
本発明は天井直付けや天井埋込形等に好適な照明器具に関する。
【背景技術】
【０００２】
従来、この種の照明器具の一例としては、例えば下記の特許文献１に記載されたものがある。この照明器具は、片口金の複数本の蛍光ランプをほぼ並列に保持する器具本体の投光開口端側に、蛍光ランプからの直接光や反射面からの光等を制光するルーバを制光部材として設けている。
【０００３】
このルーバは、その横桟と縦桟とを格子状に組み付けることにより構成され、投光開口のほぼ全面を覆うように配設されている。
【特許文献１】特開２００２−２６０４２０号公報（図９、図１０）
【発明の開示】
【発明が解決しようとする課題】
【０００４】
しかしながら、このような従来の照明器具において、光源として、片口金の蛍光ランプに代えて、円形や矩形等の環形蛍光ランプを使用する場合には、この環形蛍光ランプの環形中央部が蛍光ランプの各発光部から最も遠い位置にあるので、明るさが最も低い暗部が形成される。
【０００５】
このために、この環形蛍光ランプの環形中央部に位置する格子状のルーバの中央部も、その外側よりも明るさが低下する暗部が形成される。この暗部はルーバの中央に位置するので、特に目立ち、美感を低減させるという課題がある。
【０００６】
本発明はこのような事情を考慮してなされたもので、その目的は、制光部材の中央部の明るさを向上させることができる照明器具を提供することにある。
【課題を解決するための手段】
【０００７】
請求項１に係る発明は、天井に取り付けられる取付部の内面側に反射面を形成し、この反射面側にて複数の発光部を環形に配設してなる環形ランプを着脱自在に保持し、この反射面に対向する対向端に投光開口を成形した器具本体と；この器具本体が天井に取り付けられたときに上記環形ランプの下方に位置する上記投光開口端側にて制光可能に配設されて、この環形ランプの発光部に囲まれた環形中央部に対応する中央部に開口部を形成した制光部材と；を具備していることを特徴とする照明器具である。
【０００８】
請求項２に係る発明は、上記器具本体は、その反射平面の上記環形ランプの環形中央部に対応する中央部にて、上記制光部材側へ膨出する中央反射部を形成していることを特徴とする照明器具である。
【０００９】
請求項３に係る発明は、上述中央反射部は、その膨出頂端が上記環形ランプの上記制光部材側一面よりも上方へ位置するように形成されていることを特徴とする請求項２記載の照明器具である。
【００１０】
請求項４に係る発明は、上記中央反射部は、上記制光部材側に向けて先細の四角錐または円錐等の錐形に形成されていることを特徴とする請求項２または３記載の照明器具である。
【００１１】
請求項５に係る発明は、上記制光部材は、その中央開口部周りの内側制光部材を、この内側制光部材よりも外側の外側制光部材の取付位置よりも上記環形ランプ側へ位置するように形成していることを特徴とする請求項１ないし４のいずれか一記載の照明器具である。
【発明の効果】
【００１２】
本発明によれば、一般に光源として環形ランプを使用する場合は、明るさが他よりも比較的暗い環形中央部に対応する制光部材の中央部にも暗部が形成されるが、この制光部材の中央部を欠如して開口させているので、その中央部に暗部が形成されるのを防止ないし低減することができる。
【発明を実施するための最良の形態】
【００１３】
以下、本発明の実施形態を添付図面に基づいて説明する。なお、これら添付図面中、同一または相当部分には同一符号を付している。
【００１４】
図１は本発明の一実施形態に係る照明器具を天井に固定した状態を下方から仰視したときの斜視図、図２は図１の正面図、図３は図２の下面図、図４は図３のＩＶ−ＩＶ線切断部の端面図である。
【００１５】
これらの図に示すように照明器具１は天井壁Ｓ等の取付壁に直接取り付けられる直付形や取付壁の図示しない器具装着用開口に埋設されて吊りボルト等の取付金具に吊持される埋込形型に好適な照明器具である。
【００１６】
照明器具１は、下面開口の有蓋偏平角筒状で、例えば薄い鉄板等の板金製の器具本体２と、この器具本体２に同心状に装着されて、器具本体２の下面外周部に配設される中空矩形枠状の反射枠３と、を具備している。
【００１７】
反射枠３はアルミ製、板金製または合成樹脂製等からなり、平面形状が四角形で、その軸直角断面形状がＶ字形に形成されており、器具本体蓋部２ａの内面の一側端部上に固定された点灯回路や配線等の外面を被覆している。
【００１８】
図４に示すように、器具本体２は、その取付部である平板状蓋部２ａに、天井壁Ｓ等の取付壁に取付固定するための取付穴（図示せず）を穿設する一方、この蓋部２ａの内部（図１、図４では図中下面）の平坦面を反射面２ｂに形成している。器具本体２は、反射面２ｂに対向する対向端において、反射枠３により矩形状に囲まれた内側の下面開口を投光開口２ｃとして開口させている。
【００１９】
図１に示すように器具本体２は、その反射面２ｂ上に、四角形状の環形小形蛍光ランプ４と、同じく四角形状の環形大形蛍光ランプ５とを、同心状かつ着脱可能にそれぞれ保持させる複数のランプホルダー６，６，…を配設している。
【００２０】
小形，大形蛍光ランプ４，５は、例えば一対の電極をそれぞれ封入した２本の四角形のガラスバルブを同一平面上にて内側と外側とに近接させて並設し、これらの各先端部同士を連結管により一体に連結して内，外２重管にそれぞれ形成し、さらに、これら２重管の内面に、蛍光体膜をほぼ全長に亘ってそれぞれ形成し、この２重管内に水銀と希ガス等の放電媒体をそれぞれ封入している。
【００２１】
また、小形，大形蛍光ランプ４，５は、これら電極封止端部と連結先端部の外面とに各々跨るように口金４ａ，５ａをそれぞれ装着し、これら口金４ａ，５ａの図示しない受電ピンに、図示しないソケットをそれぞれ着脱自在に装着して図示しない点灯回路に電気的にそれぞれ接続するようになっている。
【００２２】
そして、器具本体２を天井壁Ｓに固定した状態での小形，大形蛍光ランプ４，５の下方にて、制光部材の一例である正方格子状のバッフル板７を反射枠３に取り付けている。
【００２３】
バッフル板７は図３中縦方向（垂直方向）に配設された複数枚の縦桟７ａと、図中横方向に配設された複数枚の横桟７ｂとを有し、これら縦，横桟７ａ，７ｂにほぼ等ピッチで形成した複数の嵌合溝同士を相互に嵌合させることにより、一平面上でほぼ格子状に組み付けることにより形成されている。
【００２４】
このように構成されたバッフル板７は、その縦，横桟７ａ，７ｂの各外端部７ｃを、反射枠３の傾斜内面３ａの図示しない取付孔内に装着するようになっている。
【００２５】
そして、これら格子状のバッフル板７は、その正方格子状の略中央部に、小形，大形蛍光ランプ４，５の環形中央部の四角形に対応した四角形の中央開口部７ｄを形成している。
【００２６】
さらに、図１、図４に示すようにバッフル板７は、その中央開口部７ｄの外周を囲む内側の縦，横桟７ａＳ，７ｂＳの底部を、これらよりも外側の縦，横桟７ａＯ，７ｂＯの底部よりも器具本体２の内部反射面２ｂ側へ接近するように、つまり、図４では所定高さα高くなるように配設している。
【００２７】
すなわち、図５（Ａ），（Ｂ）に示すようにバッフル板７の縦，横桟７ａ，７ｂはほぼ同形同大であるが、その長手方向中間部の高さが局所的に相違する。つまり、バッフル板７の中央開口部７ｄの外周を囲む内側縦，横桟７ａＳ，７ｂＳよりも外側の縦，横桟７ａＯ，７ｂＯの図中下底面ｌｏは長手方向ほぼ全長に亘ってほぼ同一面（高さ）に形成されているのに対し、図５（Ｂ）に示すように内側縦，横桟７ａＳ，７ｂＳは、その長手方向中間部、すなわち中央開口部７ｄの外周を囲む部分にて所定高さαだけ図中上方（器具本体２の内部反射面２ｂ側）へ局所的にずらすように形成している。
【００２８】
したがって、図１に示すように、照明器具１を天井壁Ｓに固定した状態では、バッフル板７の中央開口部７ｄを囲む内側縦，横桟７ａＳ，７ｂＳの図中上面と下面とが、外側縦，横桟７ａＯ，７ｂＯの図中上面と下面よりも図中上方へ所定高さαだけ高い位置にある。
【００２９】
そして、器具本体２は、その内部反射面２ｂの中央部、すなわち、バッフル板７の中央開口部７ｄに対応する位置にて、図４中下方に向けて先細の四角錐状の中央反射部８を形成している。
【００３０】
中央反射部８は、その四角錐の各外面を反射面に形成しており、その対角線を小形，大形蛍光ランプ４，５の対角線にほぼ一致させている。中央反射部８は、板金、アルミ板、または合成樹脂により器具本体２とは別体により形成してもよく、あるいは、器具本体２の中央部を図４中下方へ四角錐状に膨出するように一体に連成してもよく、その膨出形状も円錐形状または半球状でもよい。また、四角錐の中央反射部８は、その対角線が小形，大形蛍光ランプ４，５の環形対角線と一致しないように例えば中心角で４５°ずらして形成してもよい。但し、図４に示すように中央反射部８の頂点Ｐはバッフル板７の下面よりも上方へ位置し、さらに、小形，大形蛍光ランプ４，５の下面ｌｕよりも上方に位置する方が望ましい。すなわち、中央反射部８の頂点高さは小形，大形蛍光ランプ４，５の下面ｌｕ高さよりも低い方が望ましい。
【００３１】
したがって、照明器具１は、バッフル板７の中央部を中央開口部７ｄとして開口させているので、バッフル板７の中央部が暗くなるのを防止ないし低減することができる。
【００３２】
すなわち、この種の照明器具１では、光源として四角形の蛍光ランプ４，５を組み付ける場合には、その四角形の中央部は蛍光ランプ４，５の各発光部から最も遠い位置に位置するので、明るさも低下する。
【００３３】
しかも、この中央部にもバッフル板７がある場合には、さらに、このバッフル板７によっても遮光され、さらに明るさが低下し、その暗さが照明器具１の投光開口２ｃ側の中央部にあるので、目立つが、本実施形態によれば、バッフル板７の中央部を中央開口部７ｄとして欠如しているので、このような照明器具１の投光開口２ｃ側の中央部の暗さとその目立ちを防止ないし低減することができる。
【００３４】
また、この照明器具１の投光開口２ｃ側の中央部には、中央反射部８を設けているので、この中央反射部８による反射光量を増大させることができるので、この照明器具１の投光開口２ｃ側の中央部の明るさを向上させることができる。
【００３５】
しかも、この中央反射部８の頂点高さがバッフル板７の下面よりも上方へ位置し、さらに、小形，大形蛍光ランプ４，５の下面ｌｕよりも上方に位置するので、小形，大形蛍光ランプ４，５の下面からの光が中央反射部８の頂点部で反射されずに、その反対側へパスする直接光の光量が増加するので、その中央部の明るさをさらに向上させることができる。
【００３６】
また、バッフル板７の中央開口部７ｄ周りの内側縦，横桟７ａＳ，７ｂＳの底部がその外側縦，横桟７ａＯ，７ｂＯの底部よりも図４中上方側（器具本体２の内部反射面２ｂ側）に位置しているので、照明器具１の投光開口２ｃ側の中央部の明るさを向上させることができる。
【００３７】
すなわち、図６（Ａ）の模式図に示すように小形，大形蛍光ランプ４，５の一方向の光源に対してバッフル板７の内側と外側の各縦，横桟７ａＳ，７ｂＳ，７ａＯ，７ｂＯをみな同一高さに配設した場合には、器具中央Ｏ側にある内側縦，横桟７ａＳ，７ｂＳは、その外側縦，横桟７ａＯ，７ｂＯにより遮光される遮光量が増加して器具中央Ｏ側の明るさは低下する。
【００３８】
これに対し、本実施形態の原理を示す図６（Ｂ）に示すようにバッフル板７の内側縦，横桟７ａＳ，７ｂＳの位置を、外側縦，横桟７ａＯ，７ｂＯよりも高く（内部反射面２ｂ側へ偏位）した場合には、光源４，５から内側縦，横桟７ａＳ，７ｂＳへ照射される光が外側縦，横桟７ａＯ，７ｂＯにより遮光される光量を減少させることができるので、内側縦，横桟７ａＳ，７ｂＳの照度と器具中央Ｏの明るさを共に向上させることができる。
【００３９】
なお、上記実施形態では環形の小形，大形蛍光ランプ４，５として発光部が四角形に配設された四角形の蛍光ランプについて説明したが、本発明はこれに限定されるものではなく、例えば三角形や五角形、六角形等の多角形、あるいは円形の環形ランプにも適用することができる。また、上記実施形態では、環形ランプとして、小形，大形蛍光ランプ４，５の２本を使用する場合について説明したが、環形ランプは１本であったり、また、３本以上でもよい。さらに上記小形，大形蛍光ランプ４，５として２重管の場合について説明したが、１重管または３重管以上でもよい。
【００４０】
また、上記実施形態では、制光部材としてバッフルについて説明したが、本発明はこれに限定されるものではなく、例えばルーバ、乳白カバーまたはプリズム板等にも適用することができる。
【図面の簡単な説明】
【００４１】
【図１】本発明の一実施形態に係る照明器具の仰視斜視図。
【図２】図１の正面図。
【図３】図２の下面図。
【図４】図３のＩＶ−ＩＶ線切断部の端面図。
【図５】（Ａ）は図１等で示すバッフル板の外側縦，横桟の正面図、（Ｂ）は同じく内側縦，横桟の正面図。
【図６】（Ａ）は従来のバッフル板の原理を示す模式図、（Ｂ）は本実施形態に係るバッフル板の原理を示す模式図。
【符号の説明】
【００４２】
１…照明器具、２…器具本体、２ｂ…反射内面、２ｃ…投光開口、３…反射枠、４…小形蛍光ランプ、５…大形蛍光ランプ、７…バッフル板、７ａ…バッフル板の縦桟、７ｂ…バッフル板の横桟、７ａＳ…内側縦桟、７ａＯ…外側縦桟、７ｂＳ…内側横桟、７ｂＯ…外側横桟、７ｄ…バッフル板の中央開口部、８…中央反射部。
【図１】
2005327573.tif 000003
【図２】
2005327573.tif 000004
【図３】
2005327573.tif 000005
【図４】
2005327573.tif 000006
【図５】
2005327573.tif 000007
【図６】
2005327573.tif 000008